(57)【要約】【課題】操作スイッチを表示面の周囲に備えたテレビジョン受像機であって、製作容易な構成でありながら、ブラウン管を覆う外部カバーが小さいテレビジョン受像機を提供する。【解決手段】押しボタン式の操作スイッチ４と、操作スイッチ４に接続され先端部４１Ａが斜めに形成された突起部４１と先端部４１Ａに対向するボタン６１を有するタクトスイッチ６と、ブラウン管２の動作を制御するメイン基板５１と、タクトスイッチ６を搭載するスイッチ基板５２とこれら基板を接続するジャンパ線５３を備える。メイン基板５１、スイッチ基板５２は、面１０３の側から、ジャンパ線５３に平行な両側辺を支持するガイドに挿入され、支持されている。【選択図】図１
2007288599.tif 000002
【特許請求の範囲】
【請求項１】
ブラウン管の表示面の側辺部に操作スイッチを備えたテレビジョン受像機において、
前記操作スイッチのオン、オフの信号を出力するタクトスイッチと、
このタクトスイッチを搭載するスイッチ基板と、
前記ブラウン管の動作を制御するメイン基板と、
これらの基板の両端部を支持するガイドと、
前記スイッチ基板と前記メイン基板を隔離して接続するジャンパ線と、を備え、
前記操作スイッチは、前記ブラウン管を覆う外部カバーの内部へ突出すると共に、該突出した部分の先端部が前記突出した方向に対して斜めに形成された突起部を有し、前記操作スイッチのオン、オフ動作と共に前記突出した方向へ前後進し、
前記タクトスイッチは、その接点が前記斜めに形成された前記突起部の先端部と対向するよう配置され、
前記ガイドは、前記メイン基板を支持するメインガイド部と、前記サブ基板を支持するサブガイド部とを有すると共に、これらのガイド部は、それぞれ前記メイン基板、前記サブ基板の両面を支持する支持部を有し、
前記サブガイドは、前記サブガイドのうち前記メインガイド部と隣り合う部分における前記支持部の間隔が、前記メインガイド部の支持部の間隔よりも幅広に形成され、
前記スイッチ基板とメイン基板の間隔は、１０ｍｍ±２０％である請求項２に記載のテレビジョン受像機。
【請求項２】
ブラウン管の表示面の側辺部に操作スイッチを備えたテレビジョン受像機において、
前記操作スイッチのオン、オフの信号を出力するタクトスイッチと、
このタクトスイッチを搭載するスイッチ基板と、
前記ブラウン管の動作を制御するメイン基板と、
これらの基板の両端部を支持するガイドと、
前記スイッチ基板と前記メイン基板を隔離して接続するジャンパ線と、を備え、
前記操作スイッチは、前記ブラウン管を覆う外部カバーの内部へ突出すると共に、該突出した部分の先端部が前記突出した方向に対して斜めに形成された突起部を有し、前記操作スイッチのオン、オフ動作と共に前記突出した方向へ前後進し、
前記タクトスイッチは、その接点が前記斜めに形成された前記突起部の先端部と対向するよう配置されているテレビジョン受像機。
【請求項３】
前記ガイドは、前記メイン基板を支持するメインガイド部と、前記サブ基板を支持するサブガイド部とを有すると共に、これらのガイド部は、それぞれ前記メイン基板、前記サブ基板の両面を支持する支持部を有し、
前記サブガイドは、前記サブガイドのうち前記メインガイド部と隣り合う部分における前記支持部の間隔が、前記メインガイド部の支持部の間隔よりも幅広に形成されている請求項２に記載のテレビジョン受像機。
【請求項４】
前記スイッチ基板とメイン基板の間隔は、１０ｍｍ±２０％である請求項２または請求項３にに記載のテレビジョン受像機。
【発明の詳細な説明】
【技術分野】
【０００１】
本発明は、操作スイッチを本体に備えたテレビジョン受像機に関する。
【背景技術】
【０００２】
従来、ブラウン管の前面の側辺部に操作スイッチを備えたテレビジョン受像機が実用化され、この操作スイッチを押し下げる力を基板上のタクトスイッチに伝達する構造について、複数の文献が開示されている（特許文献１、２等）。これらの文献に開示された構造では、ブラウン管を覆う樹脂製の外部カバーの一部からなる複数の操作スイッチと、ブラウン管の下に水平に設けたメイン基板上のタクトスイッチを備えている。この操作スイッチはその裏側に突起部を有し、その先端はこのタクトスイッチに当接する。この操作スイッチが押し下げられると、樹脂製カバーの弾性によりこの突起部が回転してタクトスイッチを押し下げる。この構造により、操作スイッチを押し下げる力を基板上のタクトスイッチに伝達する。
【特許文献１】実登３０９１９８７号公報
【特許文献２】実開昭６３−２３４３号公報
【発明の開示】
【発明が解決しようとする課題】
【０００３】
しかしながら、従来の操作スイッチは、キーの裏側に設けた突起部が回転する構成であったため、これを回転させるための空間が必要であり、テレビジョン受像機を覆う樹脂製カバーを小さくすることができない問題があった。このため、樹脂製カバーのコストを下げられず、輸送費もかさむ問題があった。
【０００４】
このような問題に鑑み、本発明は、操作スイッチを表示面の周囲に備えたテレビジョン受像機について、製作容易な構成でありながら、ブラウン管を覆う外部カバーを小さくするテレビジョン受像機を提供する。
【課題を解決するための手段】
【０００５】
本発明は、上述の課題を解決するための手段を以下のように構成している。
【０００６】
（１）  ブラウン管の表示面の側辺部に操作スイッチを備えたテレビジョン受像機において、
前記操作スイッチのオン、オフの信号を出力するタクトスイッチと、
このタクトスイッチを搭載するスイッチ基板と、
前記ブラウン管の動作を制御するメイン基板と、
これらの基板の両端部を支持するガイドと、
前記スイッチ基板と前記メイン基板を隔離して接続するジャンパ線と、を備え、
前記操作スイッチは、前記ブラウン管を覆う外部カバーの内部へ突出すると共に、該突出した部分の先端部が前記突出した方向に対して斜めに形成された突起部を有し、前記操作スイッチのオン、オフ動作と共に前記突出した方向へ前後進し、
前記タクトスイッチは、その接点が前記斜めに形成された前記突起部の先端部と対向するよう配置されているテレビジョン受像機である。
【０００７】
この構成では、前記操作スイッチのオン、オフ動作と共に前記突起部が前記突出した方向へ前後進する。前記斜めに形成された前記突起部の先端部と前記タクトスイッチの接点が当接する。したがって、前記操作スイッチが押し付けられると、前記タクトスイッチの接点が押下げられ、タクトスイッチは、前記操作スイッチのオン、オフの信号を出力することができる。
【０００８】
突出部は、前記突出した方向へ前後進し、回転を伴わないから、ブラウン管の表示面の幅または上下方向に空間を必要としないので、表示面の周囲を小さくすることができる。また、ジャンパ線が前記スイッチ基板と前記メイン基板を接続しているので、テレビジョン受像機の組立時に基板間を配線して接続することを要しない。ジャンパ線はこれらの基板を隔離して接続しているので、前記斜めに形成された突起部の先端に対応してメイン基板とスイッチ基板を支持する角度が異なっているとしても、ジャンパ線の柔軟性により、円滑にガイドに挿入することができる。
【０００９】
以上の通り、ガイドに沿ってこれらの基板を挿入するだけで組み立てることができるので、製作容易な構成でありながら、ブラウン管を覆う外部カバーを小さくすることができる。
【００１０】
（２）  前記ガイドは、前記メイン基板を支持するメインガイド部と、前記サブ基板を支持するサブガイド部とを有すると共に、これらのガイド部は、それぞれ前記メイン基板、前記サブ基板の両面を支持する支持部を有し、
前記サブガイドは、前記サブガイドのうち前記メインガイド部と隣り合う部分における前記支持部の間隔が、前記メインガイド部の支持部の間隔よりも幅広に形成されている。
【００１１】
この構成では、前記サブガイドは、前記サブガイドのうち前記メインガイド部と隣り合う部分における前記支持部の間隔が、前記メインガイド部の支持部の間隔よりも幅広に形成されている。これにより、前記サブガイド部が前記メインガイド部側から導入される場合に、前記スイッチ基板を前記サブガイドへ導入することができるので、前記斜めに形成された突起部の先端に対応してメイン基板とスイッチ基板を固定する角度が異なっているとしても、メイン基板を表示面側へ押し付けることで、スイッチ基板を円滑にサブガイドに挿入することができる。
【００１２】
（３）  前記スイッチ基板とメイン基板の間隔は、１０ｍｍ±２０％である。
【００１３】
外部カバーと表示面との間隔を狭くするため、スイッチ基板の周囲は空間が狭く、手が届きにくい。スイッチ基板を固定するには、以下の２つの方法がある。
（Ａ）メイン基板を固定しておき、ジャンパ線を介してスイッチ基板を固定する方法がある。この方法では、ジャンパ線の弾性でスイッチ基板５２を保持することになるので、短い方が保持しやすい。一方、前記斜めに形成された突起部の先端に対応してメイン基板とスイッチ基板を固定する角度が異なっており、ジャンパ線の柔軟性を利用して円滑にガイドに挿入する。このジャンパ線の弾性と柔軟性を兼ね備えるためには、前記スイッチ基板とメイン基板の間隔は、１０ｍｍ±２０％とするのが好ましい。
【００１４】
（Ｂ）また、サブガイドの先端の幅を細くして、スイッチ基板をサブガイドで挟み込んで保持する方法がある。この場合、スイッチ基板の周囲は空間が狭く、手が届きにくいことから、メイン基板を表示面側へ押し付けることにより、ジャンパ線を介してスイッチ基板をサブガイドの先端に押し付けることになる。この場合でも、ジャンパ線の弾性と前述した柔軟性を考慮すると前記スイッチ基板とメイン基板の間隔は、１０ｍｍ±２０％とするのが好ましい。
【発明の効果】
【００１５】
本発明によれば、操作スイッチを表示面の周囲に備えたテレビジョン受像機について、製作容易な構成でありながら、ブラウン管を覆う外部カバーを小さくすることができる。
【発明を実施するための最良の形態】
【００１６】
図１の構成図を用いて、本実施形態のテレビジョン受像機の構成について説明する。図１（Ａ）は、テレビジョン受像機１の外観図、図１（Ｂ）は、Ａ−Ａの位置で表示面２１に垂直に切断した断面図、図１（Ｃ）は、図１（Ｂ）に示すＳ部の詳細図である。
【００１７】
図１（Ａ）に示すように、内部のブラウン管２と、ブラウン管２の表示面２１と、ブラウン管２を覆う外部カバー３と、その下部に複数の操作スイッチ４を備えている。ブラウン管２は、電気信号を光に変換し、表示面２１に投影し映像を映し出す。外部カバー３は、樹脂性カバーであり、内部のブラウン管２を固定する。操作スイッチ４は、テレビジョン受像機１の動作を指示するためのスイッチであり、表示面２１の側辺部である下辺に、電源のオン、オフ、チャンネルの＋、−、ミュートなどのスイッチを備えている。
【００１８】
図１（Ｂ）、（Ｃ）に示すように、テレビジョン受像機１は、（Ａ）で示した構成の他に、突起部４１とメイン基板５１とスイッチ基板５２ジャンパ線５３とスイッチ６とを備える。
【００１９】
複数の操作スイッチ４は、それぞれボタンスイッチであり、表示面２１に対して垂直な、図１（Ｃ）の４２に示す方向に前後進する。操作スイッチ４は、ばねにより表示面２１から外側方向へ押し付けられている。なお、操作スイッチ４の構成としては、ばねでなくとも前後進できる公知のボタンスイッチを用いることができる。
【００２０】
突起部４１は、例えばプラスティック樹脂、金属で構成する。操作スイッチ４の裏側（ボタンを押す面を表側とする。）に接続されている。突起部４１は、外部カバー３の内側へ突出しており、突起部４１の下側の先端部４１Ａが、この突出している方向に対して斜めに形成されている。
【００２１】
メイン基板５１は、ブラウン管２の動作を制御する基板であり、タクトスイッチ６のオン、オフの信号を受けて、各部を制御する機能を有するコントローラを搭載する。メイン基板５１は、外部カバー３の下面から５ｍｍ程度となっており、メイン基板５１の最も表示面２１寄りの部分でブラウン管２の下面との距離は２０ｍｍ以下になる。スイッチ基板５２は、タクトスイッチ６を搭載する基板である。ジャンパ線５３は、メイン基板５１とスイッチ基板５２とを接続する金属線であり、タクトスイッチ６の信号を伝達する。
【００２２】
タクトスイッチ６は、タクトスイッチ６のオン、オフの信号をメイン基板５１に出力する。ボタン６１を押下げると方向６２の方向に移動し、タクトスイッチ６がオンになる。ボタン６１は、突起部４１の先端部４１Ａと対向している。
【００２３】
以上の構成により、操作スイッチ４が外部カバー３の内側へ移動すると、操作スイッチ４の裏側に固定された突起部４１が外部カバー３の内側へ移動する。先端部４１Ａはボタン６１に当接して、この先端部４１Ａを移動させる力の分力がボタン６１を押下げる。そして、タクトスイッチ６が押下げられた旨の信号（オンの信号）は、ジャンパ線５３を介してメイン基板５１に伝達される。
【００２４】
なお、操作スイッチ４は、下辺でなくとも、上、左右の辺でもよい。いずれの場合でも、スイッチ基板５２に垂直な断面のスイッチ基板５２の詳細図を図示すると図２（Ｃ）のようになる。
【００２５】
ここで、テレビジョン受像機１の組立手順について、簡単に説明する。外部カバー３にはメイン基板５１、スイッチ基板５２を取り付ける前に、ブラウン管２を取り付ける。このようにすると、前述したように、ブラウン管２と外部カバー３の底面との間は隙間が小さく、手が届かない。そこで、表示面２１側でなく、これと対向する面１０３側から表示面２１側へメイン基板５１を押し付けて、メイン基板５１、５２を挿入する。ここで、斜めに形成された先端部４１Ａに対向してスイッチ基板５２はメイン基板５１に対して傾いており、この傾いたスイッチ基板５２を滑らかに挿入するため、以下の図２のようなガイドを設ける。
【００２６】
次に、図２を用いて、本実施形態のテレビジョン受像機の基板、ガイドの詳細図について説明する。図２（Ａ）は、メイン基板５１、スイッチ基板５２、ジャンパ線５３の部品図である。図２（Ｂ）は、図１（Ｂ）のＣ−Ｃの位置で、底面を切断して見下ろした図である。図２（Ｃ）は、図１（Ａ）のＢ−Ｂの位置で、表示面２１に対して垂直に切断した様子を表す図であり、図１（Ｃ）と同様にＳ部の拡大図である。なお、図２（Ｂ）、（Ｃ）では、メイン基板５１、スイッチ基板５２、ジャンパ線５３を２点鎖線で図示している。
【００２７】
図２（Ａ）に示すように、メイン基板５１とスイッチ基板５２は、ジャンパ線で接続されており、スイッチ基板５２は、操作スイッチ４に対応して複数のタクトスイッチ６を搭載している。スイッチ基板５２の幅５２１は、メイン基板５１の幅５１１の１／２以下である。ジャンパ線５３は、３０ｍｍ程度であり、メイン基板５１とスイッチ基板５２の幅５３１は、１０ｍｍ±２０％とする。これらの寸法により、ジャンパ線５３の柔軟性によりメイン基板５１、スイッチ基板５２がなす角度に対応できると共に、面１０３からメイン基板５１を押し付けたときに、ジャンパ線５３の弾性により、スイッチ基板５２をサブガイド８へ導入することができる。また、メイン基板５１を固定することで、タクトスイッチ６のボタン６１が押下げられたときでも、ジャンパ線５３の弾性を介してスイッチ基板５２を保持できる。
【００２８】
なお、ブラウン管２からの電磁波による影響を防止するため、ジャンパ線５３の上からシールド材をかぶせても良い。このようにすれば、確実に電磁波による影響を防止できる。
【００２９】
図２（Ｂ）に示すメインガイド７、サブガイド８、ガイド９は、それぞれ２枚の突起部（例えば、図２（Ｂ）、（Ｃ）に示す下側メインガイド７１、上側メインガイド７２）を有し、外部カバー３、板８５に固定されている。これらのガイド７、８、９は、ジャンパ線５３に平行な側辺部５１２、５１３、５２２、５２３（図２（Ａ）参照）の両面を覆うように支持する。メインガイド７は側辺部５１２を支持し、ガイド９は側辺部５１３、側辺部５２３を支持し、メインガイド７、サブガイド８の形状と対向し、これらガイド７、８と対称なものを併せ持つ。サブガイド８は、外部カバー３の底部から直立して延設した板８５に固定されており、表示面２１の中央部分の底部に位置する側辺部５２２を支持する。
【００３０】
メイン基板５１、スイッチ基板５２は、組み立て時に、表示面２１と平行な側面１０３（図１（Ａ）の１０３に対応）の側からメインガイド７、ガイド９に挿入され、これらのガイドに沿って表示面２１へ向かう方向（方向５５）へ移動される。この挿入時にスイッチ基板５２が垂れ下がらないよう、ガイド８６を設けて支持する。
【００３１】
図２（Ｃ）を参照して、メインガイド７、サブガイド８の構造例について詳しく説明する。前述したメインガイド７の２つの突起部は、下側メインガイド７１、上側メインガイド７２であり、２点鎖線で示すメイン基板５１（の側辺部５１２）の両面を覆う。サブガイド８の２つの突起部である下側サブガイド８１、上側ガイド８２は、板８５に固定されており、２点鎖線で示すスイッチ基板５２（の側辺部５２２）の両面を覆う。
【００３２】
メイン基板５１、スイッチ基板５２は、柔軟性があり弾性があるジャンパ線５３で接続されているから、メイン基板５１を方向５５へ押し付けると、スイッチ基板５２はサブガイド８に導入される。
【００３３】
下側メインガイド７１は、サブガイド８の下側サブガイド８１、および前述したガイド８６と、高さが一致している（図中符号で示した７１、８６は重なっており、手前側が８６、奥側が７１である）。これにより、スイッチ基板５２の下側を滑らかにサブガイド８に導入できる。また、上側メインガイド７２の表示面２１側のガイド先端７２Ａが開口すると共に、図２（Ｃ）上で見てガイド７と隣り合うガイド後端部分８２Ａが、下側メインガイド７１、上側メインガイド７２の間隔より幅広に形成されている。これにより、スイッチ基板５２をサブガイド８に導入するときに、スイッチ基板５２が浮き上がる余裕ができるから（５２１で図示）、円滑にスイッチ基板５２をサブガイド８に導入できる。さらに、下側サブガイド８１のガイド先端部分８１Ａとガイド先端部分８２Ｂの幅が細くなっており、スイッチ基板５２をサブガイド８に押し付けたときに、スイッチ基板５２はサブガイド８により挟み込まれ、固定される。ガイド９は、この図２（Ｃ）に示すメインガイド７とサブガイド８のガイドと対向して、これらガイド７、８と対称な形状を併せ持つから、以上で説明したガイド８と同様の効果を奏する。
【００３４】
なお、上側メインガイド７２のガイド先端７２Ａは必ずしも開放している必要がなく、下側メインガイド７１、上側メインガイド７２の幅より幅広に形成していても良い。
【００３５】
また、図２の構成では、スイッチ基板５２をサブガイド８により挟み込んで固定したが、単にメイン基板５１が方向５５の反対方向へ移動するのを固定して、ジャンパ線５３の弾力でスイッチ基板５２を保持しても良い。
【００３６】
次に図３を用いて、メイン基板５１、スイッチ基板５２、ジャンパ線５３を製造する方法の１例を示す。図３は、基板５１、５２を製作するための捨て板を表す図である。図３（Ａ）に示す例では、メイン基板５１とスイッチ基板５２の間に捨て板５４を設けて、ジャンパ線５３を機械で打ち込んだ後、捨て板５４を切断する。この構成では、メイン基板５１とスイッチ基板５２とを配線する組立作業が不要となる。捨て板を容易に切断できるようにするため、予め断面をＶ字にカットするか、破線で切れ目を入れる。後述、図３（Ｂ）の例でも同様である。
【００３７】
図３（Ｂ）に示す例では、側辺５２２（図２参照）に隣接する捨て板５５と、側辺５１３（図２参照）に隣接して、捨て板５６と孔５７を設ける。この例では、ジャンパ線５３を機械で打ち込んだ後、捨て板５５、５６を切断する。
【００３８】
なお、以上の例では、スイッチ基板５２の幅５２１を幅５１１の半分程度としたが、幅５１１と同じ長さであっても良い。この場合は板８５、ガイド８６は不要であり、ガイド９と対向し、ガイド９と対称なガイドを外部カバー３の面１０２、１０３の内側に設ける。また、図３（Ｂ）のように捨て板５５を構成する代わりに、捨て板５６と同様の捨て板を側辺部５１２側に設ける。
【図面の簡単な説明】
【００３９】
【図１】本実施形態のテレビジョン受像機の構成図
【図２】本実施形態のテレビジョン受像機の基板、ガイドの詳細図
【図３】実施形態のテレビジョン受像機の基板を製作するための捨て板を表す図
【符号の説明】
【００４０】
１−テレビジョン受像機、  ２−ブラウン管、  ２１−表示面、  ３−外部カバー
４−操作スイッチ、  ４１−突起部、  ４１Ａ−先端部、  ４２−方向
５１−メイン基板、  ５１１−幅、  ５１２−側辺部、  ５１３−側辺部
５２−スイッチ基板、  ５２１−幅、５２２−側辺部、  ５２３−側辺部
５３−ジャンパ線、  ５３１−幅、  ５５−方向
６−タクトスイッチ、  ６１−ボタン、  ６２−方向、  ７−メインガイド
７１−下側メインガイド、  ７２−上側メインガイド、  ７２Ａ−ガイド先端
８−サブガイド、  ８１−下側サブガイド、  ８１Ａ−ガイド先端部分
８２−上側ガイド、  ８２Ａ−ガイド後端部分、  ８２Ｂ−ガイド先端部分
８５−板、  ８６−ガイド、  ９−ガイド
【図１】
2007288599.tif 000003
【図２】
2007288599.tif 000004
【図３】
2007288599.tif 000005